(57)【要約】【課題】  ラウンドブーケと、キャスケードブーケ等の２種類のブーケを、少ない予算で提供できるようにすること。【解決手段】  ブーケホルダー１の花材挿し部２に花材３ａ，３ｂ，３ｃの茎を挿してラウンドブーケ４を作り、ラウンドブーケとは別にワイヤリングで追加ブーケ５を作り、追加ブーケの束ねた茎部６をブーケホルダーのハンドル部７に沿わせて取外し可能に取付け、ラウンドブーケ４と追加ブーケ５とを合体させてキャスケードブーケ等の形にする。【選択図】      図３
2007332487.tif 000002
【特許請求の範囲】
【請求項１】
ブーケホルダー（１）の花材挿し部（２）に花材（３ａ，３ｂ，３ｃ）の茎を挿してラウンドブーケ（４）を作り、ラウンドブーケとは別にワイヤリングで追加ブーケ（５）を作り、追加ブーケの束ねた茎部（６）をブーケホルダーのハンドル部（７）に沿わせて取外し可能に取付け、ラウンドブーケ（４）と追加ブーケ（５）とを合体させてキャスケードブーケ等の形にすることを特徴とするブーケの製作方法。
【請求項２】
ハンドル部（７）と、ハンドル部の上部に設けた花材挿し部（２）と、花材挿し部に茎を挿して花や葉を丸い形にまとめたラウンドブーケ部（９）と、ワイヤリングで製作してハンドル部（７）に取外し可能に取付けた追加ブーケ（５）とを備え、ラウンドブーケ部と追加ブーケとが合体してキャスケードブーケ等の形にしてあることを特徴とするブーケ。
【請求項３】
追加ブーケ（５）は、束ねた茎部（６）をハンドル部（７）に沿わせ、リボン（１０）で縛ってハンドル部に取付けてあることを特徴とする請求項２記載のブーケ。
【請求項４】
追加ブーケ（５）は、束ねた茎部（６）をハンドル部（７）に沿わせてあり、ハンドル部（７）に下方より差し込む筒状のカバー（１８）、又はハンドル部（７）に周囲から巻いて止める止着バンド（２２）により、追加ブーケの束ねた茎部（６）をハンドル部（７）に固定していることを特徴とする請求項２又は３記載のブーケ。
【請求項５】
ラウンドブーケ部（９）の花材がプリザーブドフラワーであることを特徴とする請求項２，３又は４記載のブーケ。
【請求項６】
ハンドル部（７）と、ハンドル部の上部に設けた花材挿し部（２）とを備え、ハンドル部に追加ブーケ（５）を取外し可能に取付けることのできる追加ブーケ取付部（１１，１２，１３）を設けてあることを特徴とするブーケホルダー。
【請求項７】
追加ブーケ取付部は、ハンドル部（７）とは別体に設けられ且つハンドル部に着脱自在な追加ブーケ取付用部品（１４，１７）により構成してあることを特徴とする請求項６記載のブーケホルダー。
【発明の詳細な説明】
【技術分野】
【０００１】
本発明は、ブーケの製作方法と、ブーケ、及びそのブーケに用いられるブーケホルダーに関する。
【背景技術】
【０００２】
ブーケの形態には、花や葉を丸い形にまとめたラウンドブーケや、滝の流れをイメージして花や葉を流れるように配置したキャスケードブーケ、花や葉を三日月形にまとめたクレッセントブーケ等がある。一般にこれらのブーケの製作には、発泡合成樹脂で形成した略球状の吸水性フォームをケージ状の保持具内に保持してハンドル部上に取り付けたブーケホルダーが用いられる。ラウンドブーケは、非特許文献１に開示されているように、保持具の開口部より吸水性フォームに、花や葉を略同じ茎の長さにして隙間なく挿していって、略半球状の形になるようにして作る。キャスケードブーケの場合は、非特許文献２に記載されているように、まず、葉で垂らしたい長さを決めてから、ブーケホルダーの吸水性フォームに挿し、花や葉をバランスよく下の方から段々に挿していって作る。
【０００３】
また、ブーケホルダーを用いないブーケの作り方として、ワイヤリングという手法がある。ワイヤリングは、非特許文献３に開示されているように、花や葉の茎を短く切り、その花や葉に茎の代わりになる針金を、突き刺したりねじったりして取り付け、針金の周りに薄緑色のテープ（フローラルテープ）を巻いてパーツを作り、それらのパーツを針金製の茎の部分をフローラルテープで束ねながら順番に多数組み合わせてブーケを作る手法である。この手法によれば、いろんな花や葉を自由に組み合わせられ且つ茎部を曲げて自由な形とすることができるため、多彩なアレンジが可能であるが、多数のパーツを準備するのに非常に手間がかかる。
【非特許文献１】“ナチュラルなコロニアルブーケ”、[online]、[平成１８年６月１日検索]、インターネット＜ＵＲＬ: http://onwave.co.jp/apupu/arrange/teach/coro/coro-2.htm＞
【非特許文献２】“キャスケード型ブーケ”、[online]、[平成１８年６月１日検索]、インターネット＜ＵＲＬ: http://onwave.co.jp/apupu/arrange/teach/kya/kya-2.htm＞
【非特許文献３】渡辺俊治著、「ブーケ基礎レッスン」、株式会社高橋書店、２００６年１月１０日、ｐ．３２−３３
【発明の開示】
【発明が解決しようとする課題】
【０００４】
教会で結婚式を挙げる際に花嫁が手に持つブーケとしては、ウエディングドレスと良く合うキャスケードブーケが好まれる。一方、結婚式のあとの披露宴で、花嫁がお色直しをして再び登場するときやキャンドルサービスのときなどには、ラウンドブーケを持つのが通例となっている。そのため、新郎新婦はキャスケードブーケとラウンドブーケの２種類のブーケを作らねばならず、大きな負担となっていた。
本発明は以上に述べた実情に鑑み、ラウンドブーケと、キャスケードブーケ等の２種類のブーケを、少ない予算で提供できるようにすることを目的とする。
【課題を解決するための手段】
【０００５】
上記の課題を達成するために請求項１記載の発明によるブーケの製作方法は、ブーケホルダーの花材挿し部に花材の茎を挿してラウンドブーケを作り、ラウンドブーケとは別にワイヤリングで追加ブーケを作り、追加ブーケの束ねた茎部をブーケホルダーのハンドル部に沿わせて取外し可能に取付け、ラウンドブーケと追加ブーケとを合体させてキャスケードブーケ等の形にすることを特徴とする。花材には、葉だけのものや実の付いたもの等が含まれる。キャスケードブーケ等には、キャスケードブーケやクレッセントブーケ等、ラウンドブーケ以外のあらゆる形のブーケが含まれる。
【０００６】
請求項２記載の発明によるブーケは、ハンドル部と、ハンドル部の上部に設けた花材挿し部と、花材挿し部に茎を挿して花や葉を丸い形にまとめたラウンドブーケ部と、ワイヤリングで製作してハンドル部に取外し可能に取付けた追加ブーケとを備え、ラウンドブーケ部と追加ブーケとが合体してキャスケードブーケ等の形にしてあることを特徴とする。
【０００７】
請求項３記載の発明によるブーケは、請求項２記載の発明の構成に加え、追加ブーケは、束ねた茎部をハンドル部に沿わせ、リボンで縛ってハンドル部に取付けてあることを特徴とする。
【０００８】
請求項４記載の発明によるブーケは、請求項２又は３記載の発明の構成に加え、追加ブーケは、束ねた茎部をハンドル部に沿わせてあり、ハンドル部に下方より差し込む筒状のカバー、又はハンドル部に周囲から巻いて止める止着バンドにより、追加ブーケの束ねた茎部をハンドル部に固定していることを特徴とする。
【０００９】
請求項５記載の発明によるブーケは、請求項２〜４記載の発明の構成に加え、ラウンドブーケ部の花材がプリザーブドフラワーであることを特徴とする。
【００１０】
請求項６記載の発明によるブーケホルダーは、ハンドル部と、ハンドル部の上部に設けた花材挿し部とを備え、ハンドル部に追加ブーケを取外し可能に取付けることのできる追加ブーケ取付部を設けてあることを特徴とする。
【００１１】
請求項７記載の発明によるブーケホルダーは、請求項６記載の発明の構成に加え、追加ブーケ取付部は、ハンドル部とは別体に設けられ且つハンドル部に着脱自在な追加ブーケ取付用部品により構成してあることを特徴とする。
【発明の効果】
【００１２】
請求項１記載の発明によるブーケの製作方法は、ラウンドブーケと追加ブーケを合体させてキャスケードブーケ等の形にしてあり、キャスケードブーケ等として使用できる他、追加ブーケを取外せばそのままラウンドブーケとして使用できるので、キャスケードブーケ等とラウンドブーケの２種類のブーケを丸々製作するよりも大幅に低い予算で製作できる。また、ブーケホルダーを使用してラウンドブーケを作ることで、キャスケードブーケ等の全体をワイヤリングで製作するよりも手間がかからない。
【００１３】
請求項２記載の発明によるブーケは、ハンドル部と、ハンドル部の上部に設けた花材挿し部と、花材挿し部に茎を挿して花や葉を略球状の形にまとめたラウンドブーケ部と、ワイヤリングで製作してハンドル部に取外し可能に取付けた追加ブーケとを備え、ラウンドブーケ部と追加ブーケとが合体してキャスケードブーケ等の形にしてあるので、キャスケードブーケ等として使用できる他、追加ブーケを取り外せばそのままラウンドブーケとして使用できる。したがって、キャスケードブーケ等とラウンドブーケの２種類のブーケを丸々製作するよりも大幅に低い予算で製作できる。
【００１４】
請求項３記載の発明によるブーケは、追加ブーケが、束ねた茎部をハンドル部に沿わせ、リボンで縛ってハンドル部に取付けてあるので、追加ブーケを取外す際にリボンを解くだけで簡単に取外すことができる。
【００１５】
請求項４記載の発明によるブーケは、追加ブーケの束ねた茎部をハンドル部に沿わせ、ハンドル部に下方より差し込む筒状のカバー、又はハンドル部に周囲から巻いて止める止着バンドにより、追加ブーケの束ねた茎部をハンドル部に固定するようにしたので、追加ブーケの取付けに技術を要さず、尚且つ追加ブーケの取外しも容易に行える。
【００１６】
さらに、請求項５記載の発明のように、ラウンドブーケ部の花材をプリザーブドフラワーにしたときには、ラウンドブーケをケースに入れて保存し、長期間きれいな状態で残すことができ、結婚式等の非常に良い記念になる。
【００１７】
請求項６記載の発明によるブーケホルダーは、ハンドル部と、ハンドル部の上部に設けた花材挿し部とを備え、ハンドル部に追加ブーケを取外し可能に取付けることのできる追加ブーケ取付部を設けてあるので、本発明のブーケを製作するために好適に用いることができる。
【００１８】
さらに請求項７記載の発明によるブーケホルダーは、追加ブーケ取付部は、ハンドル部とは別体に設けられ且つハンドル部に着脱自在な追加ブーケ取付用部品により構成してあるので、追加ブーケ取付用部品をハンドル部から取外すことで追加ブーケを簡単に取外すことができ、追加ブーケを取外す際にラウンドブーケ部の花や葉が乱れるのを防止できる。
【発明を実施するための最良の形態】
【００１９】
以下、本発明の実施の形態を図面に基づいて説明する。図１は本発明のブーケの一実施形態を示している。このブーケ８は、式場や教会での結婚式において花嫁が持つキャスケードブーケとなっている。このブーケ８は、市販のブーケホルダー１を使用して作ったラウンドブーケ４と、ワイヤリングで製作した追加ブーケ５とを組み合わせてキャスケードブーケの形にしたものであり、結婚式の後の披露宴においては、追加ブーケ５を取外し、図２に示すように、ラウンドブーケ４として使用できるものである。
【００２０】
ブーケホルダー１は、図３に示すように、円筒状のハンドル部７の上部に発泡合成樹脂で形成した略球状の吸水性フォーム２がケージ状の保持具２０により取付けてあり、ハンドル部７には花嫁がお色直しで着るドレスと同じ色（例えば薄いピンク色）のリボン２１を巻いてある。このブーケホルダー１の吸水性フォーム２に、バラ３ａ，３ｂやアイビーの葉３ｃ等の多数の花材の茎を挿し、それらの花や葉を丸い形にまとめてラウンドブーケ部９を形成してある。ラウンドブーケ部９は、白い大きなバラ３ａを主体に構成してあり、ところどころに花嫁が披露宴のお色直しで着るドレスと同じ色の小さなバラ３ｂが散らしてある。
またこれとは別に、ラウンドブーケ部９の下方に取付ける追加ブーケ５をワイヤリングで製作している。追加ブーケ５は、図３に示すように、束ねた茎部６の上端部を下向きにくの字に折り曲げ、折り曲げた茎部６をハンドル部７に沿わせた上で、図１（ｂ）に示すように、白色のリボン１０をハンドル部７の周りに巻き上げ、茎部６の折れ曲がった根元付近でリボン１０を縛ることで、追加ブーケ５をハンドル部７に取付けている。また追加ブーケ５は、ラウンドブーケ部９に使用しているのと同じ白い大きなバラ３ａやアイビーの葉３ｃ等を用いて作られており、ラウンドブーケ部９と一体となって滝の水の流れを表現している。
【００２１】
本ブーケ８は、式場や教会での結婚式でキャスケードブーケとして使用した後、ハンドル部７に縛ってある白いリボン１０を解けば追加ブーケ５を簡単に取り外すことができ、追加ブーケ５を取外すとそのままラウンドブーケ４になる。ハンドル部７には、花嫁がお色直しで着るドレスと同じ色のリボン２１が予め巻かれており、尚且つラウンドブーケ部９にはこれと同じ色の小さなバラ３ｂがところどころに散らしてあるので、お色直しのドレスにマッチする素敵なラウンドブーケになる。なお、追加ブーケ５を取外した後、ラウンドブーケ４として用いる際に、ドレスの色等に合わせて花材を吸水性フォーム２に挿し足すこともできる。
【００２２】
図４は、追加ブーケ５のハンドル部７への取付け方の別の例を示している。この例では、図４（ａ）に示すように、追加ブーケ５の束ねた茎部６をハンドル部７に沿わせた上で、合成樹脂で形成した筒状のカバー１８を下方より差し込むことで、図４（ｂ）に示すように、追加ブーケ５の束ねた茎部６をハンドル部７に固定している。カバー１８は、追加ブーケ５の束ねた茎部６を保持する保持部１９が、周囲の一箇所に外周側に膨らむ形で長手方向に沿って形成してあり、カバー１８の長さはハンドル部７の長さよりも短くなっている。
この取付け方によれば、先の実施形態のようにハンドル部７にリボン１０を巻き上げる必要がないので、追加ブーケ５の取付けに技術を要しない。追加ブーケ５の茎部６がぐらぐらする場合は、追加ブーケ５の茎部６の折れ曲がった根元部分のみをリボン等で縛ればよい。追加ブーケ５を取外す際は、カバー１８を下方に引き抜くことで容易に取外すことができる。
なおカバー１８は、布やゴム等で形成したものであってもよい。
【００２３】
図５は、追加ブーケ５のハンドル部７への取付け方のさらに別の例を示している。この例では、図５（ａ）に示すように、追加ブーケ５の束ねた茎部６をハンドル部７に沿わせた上で、図５（ｂ）に示すように、ハンドル部の周りに帯状の止着バンド２２を巻いて止めることで、追加ブーケ５の束ねた茎部６をハンドル部７に固定している。止着バンド２２は、塩化ビニル樹脂等で柔軟性のある板状に形成してあり、両側の端部の表側面と裏側面に一対の面ファスナー２３ａ，２３ｂがそれぞれ取付けてあり、面ファスナー２３ａ，２３ｂをくっつけたり剥がしたりして容易に着脱でき、且つ止着バンド２２を十分に締め付けて止めることで追加ブーケ５の茎部６がぐらぐらしないように強固にハンドル部７に固定できる。このような止着バンド２２を用いることで、追加ブーケ５の取付け、取外しが誰にでも容易に行うことができる。
【００２４】
図６〜図１０は、追加ブーケ５の取付け、取外しを考慮し、ハンドル部７に改良を加えたブーケホルダー１の例を示している。
図６に示すブーケホルダー１は、ハンドル部７に長手方向に沿って溝１１が形成してある。この溝１１内に追加ブーケ５の束ねた茎部６をセットすることで、ハンドル部７が太くなって持ちにくくなるのを防ぐことができる。
図７に示すブーケホルダー１は、ハンドル部７の中間部に長手方向に沿って筒状部１２を設けてある。この筒状部１２に追加ブーケ５の束ねた茎部６を差し込むことで、追加ブーケ５を簡易に取り付けできる。
図８に示すブーケホルダー１は、ハンドル部７の中間部に、追加ブーケ５の束ねた茎部６を保持する保持片１３を、一方の側方側が開放した板バネ状に設けてある。このように形成した保持片１３に追加ブーケ５の束ねた茎部６を一方の側方側から抜き差しすることで、追加ブーケ５の取付け・取外しが一層容易に行え、しかも追加ブーケ５を取外すときにラウンドブーケ部９の花や葉が乱れない。
【００２５】
図９に示したものは、追加ブーケ取付用部品１４をハンドル部７と別体で形成し、追加ブーケ取付用部品１４の裏面側に形成した鉤状の係止部１５を、ハンドル部７に形成した被係止部１６に上方から引っ掛けて着脱自在としている。追加ブーケ取付用部品１４には、追加ブーケ５の束ねた茎部６を差し込む筒状部１２を設けてある。追加ブーケ５を取外す際には、追加ブーケ取付用部品１４を若干上に持ち上げて係止部１５を被係止部１６から抜いてから、下方に取外す。なお、追加ブーケ取付用部品１４は、ハンドル部７に横から引っ掛けて取付けるようにしてもよい。
図１０に示したものは、ハンドル部７に下方より差し込むハンドルカバー１７を製作し、ハンドルカバー１７に追加ブーケ５の束ねた茎部６を差し込む筒状部１２を、長手方向の全長にわたって設けている。ハンドルカバー１７の長さは、ハンドル部７の長さよりも短く、ハンドルカバー１７をハンドル部に取付けると、図１０（ｂ）に示すように、ハンドル部７の上部がハンドルカバー１７からはみ出し、そのはみ出し部分２４で追加ブーケ５の束ねた茎部６の折れ曲がった根元部分をリボンで縛って固定する。
【００２６】
図６〜図１０のブーケホルダー１は、溝１１や筒状部１２、保持片１３に、追加ブーケ５の束ねた茎部６を保持させた上で、図１（ｂ）に示すように、ハンドル部７にリボン１０を巻き上げて縛ったり、図４に示すように、ハンドル部７に筒状のカバー１８を取付けたり、あるいは図５に示すように、ハンドル部７の周りに止着バンド２２を巻いて止めたりして、追加ブーケ５の茎部６をハンドル部７に固定すると共にハンドル部７を装飾する。なお、追加ブーケ５の茎部６の固定及びハンドル部７の装飾には、ハンドル部７に差し込んだり巻き付けたりして装着する市販のハンドルカバー（例えば、株式会社東京堂より販売されている商品名「ブライディパートナー」、「ブライディパートナーマリアージュ」等）を利用することもできる。
【００２７】
本発明は、以上に述べた実施形態に限定されない。追加ブーケを取付けた状態でのブーケの形は、追加ブーケの形状や配置する位置、及び配置する個数等を適宜調整することで、キャスケードブーケ以外にも任意の形とすることができ、例えばクレッセントブーケとする場合には、追加ブーケをラウンドブーケ部の上側と下側の二箇所に取付け、花や葉が全体として三日月形になるようにする。ブーケに用いる花材は、生花に限らず、生花を加工したプリザーブドフラワーや、シルクフラワー、アートフラワー等の造花であってもよい。
また、生花とプリザーブドフラワー等を組合わせて用いることもでき、例えば追加ブーケをプリザーブドフラワーで作り、ラウンドブーケを生花で作るようにしてもよい。また、追加ブーケを生花で作り、ラウンドブーケをプリザーブドフラワーで作ることもでき、その場合は、ラウンドブーケをケースに入れて保存すれば、長期間きれいな状態で残すことができ、結婚式等の非常に良い記念になる。
【図面の簡単な説明】
【００２８】
【図１】（ａ）は、本発明によるブーケの一実施形態であるキャスケードブーケを示す正面図であり、（ｂ）は同ブーケの側面図である。
【図２】（ａ）は、図１に示すブーケから追加ブーケを取外してラウンドブーケにした状態の正面図であり、（ｂ）は同ブーケの側面図である。
【図３】図１のブーケの製作途中の段階を示す側面図である。
【図４】追加ブーケの取付け方の別の例を示す斜視図であって、（ａ）は追加ブーケの茎部をハンドル部に固定する前の状態、（ｂ）は追加ブーケの茎部をハンドル部に固定した状態を示している。
【図５】追加ブーケの取付け方のさらに別の例を示す斜視図であって、（ａ）は追加ブーケの茎部をハンドル部に固定する前の状態、（ｂ）は追加ブーケの茎部をハンドル部に固定した状態を示している。
【図６】（ａ）は、本発明のブーケホルダーの一実施形態を示す側面図であり、（ｂ）は（ａ）のＡ−Ａ断面図である。
【図７】（ａ）は、本発明のブーケホルダーの他の実施形態を示す側面図であり、（ｂ）は（ａ）のＡ−Ａ断面図である。
【図８】（ａ）は、本発明のブーケホルダーの他の実施形態を示す側面図であり、（ｂ）は（ａ）のＡ−Ａ断面図である。
【図９】本発明のブーケホルダーの一実施形態であって、追加ブーケ取付用部品をハンドル部から分離した状態を示す斜視図である。
【図１０】追加ブーケ取付用部品の他の実施形態を示す斜視図であって、（ａ）は追加ブーケ取付用部品をハンドル部から分離した状態、（ｂ）は追加ブーケ取付用部品をハンドル部に取付けた状態を示している。
【符号の説明】
【００２９】
１  ブーケホルダー
２  吸水性フォーム（花材挿し部）
３ａ，３ｂ，３ｃ  花材  
４  ラウンドブーケ
５  追加ブーケ
６  追加ブーケの茎部
７  ハンドル部
８  キャスケードブーケ（ブーケ）
９  ラウンドブーケ部
１０  リボン
１１  溝（追加ブーケ取付部）
１２  筒状部（追加ブーケ取付部）
１３  保持片（追加ブーケ取付部）
１４  追加ブーケ取付用部品
１７  ハンドルカバー（追加ブーケ取付用部品）
１８  カバー（追加ブーケ取付用部品）
１９  保持部（追加ブーケ取付部）
２２  止着バンド（追加ブーケ取付用部品）
２３ａ，２３ｂ  面ファスナー
【図１】
2007332487.tif 000003
【図２】
2007332487.tif 000004
【図３】
2007332487.tif 000005
【図４】
2007332487.tif 000006
【図５】
2007332487.tif 000007
【図６】
2007332487.tif 000008
【図７】
2007332487.tif 000009
【図８】
2007332487.tif 000010
【図９】
2007332487.tif 000011
【図１０】
2007332487.tif 000012